(57)【要約】  本発明によれば、遊びなしのラッチ機構からなるカメラのための回転可能なグリップは、順に配置された、支持環（２）と、グリップ板（３）と、板バネ（４）と、それらの間に挿入されるように形成された鋼球（５）とを備えている。本発明によれば、板バネ（４）および支持環（２）は、グリップ板（３）の孔（８）に板バネ（４）によって押し込まれる前記球によってカメラの本体に接続される。該接続は、ネジ接続（６）を用いて好ましくは達成される。グリップ（１）の回転により、球（５）は、バネ力に抗してグリップ板（３）の孔から押し出される。グリップ（１）は、所望の位置における選択されたラッチ位置の孔の中に球（５）がラッチ係合するまで旋回される。選択されたラッチ位置を長期確保するために、グリップ板（３）の回転軸回りに旋回することができる阻止板（７）は、ラッチ球（５）が動くのを阻止することができる。
2010504541.tif 000002
【特許請求の範囲】
【請求項１】
写真カメラ用の回転可能なグリップであって、前記グリップの回転はラッチ機構によって生じ、同ラッチ機構は前記グリップを前記カメラに接続し、支持環（２）と、グリップ板（３）と、板バネ（４）と、それらの間に挿入されるように形成された鋼球（５）とからなり、支持環（２）、グリップ板（３）、板バネ（４）および鋼球（５）は、前記カメラからこの順に配置されており、前記板バネ（４）および前記支持環（２）は、前記板バネ（４）によって前記球が前記グリップ板の孔（８）に押し込まれるように、前記カメラの本体に接続されている、写真カメラ用の回転可能なグリップ。
【請求項２】
前記ラッチ球（５）の移動は阻止板（７）によって阻止されることと、前記阻止板は、前記グリップ板（３）の回転軸回りに回転可能であり、前記板バネの後方に配置されていることとを含む請求項１に記載の写真カメラ用の回転可能なグリップ。
【請求項３】
前記ラッチ機構および前記阻止板（７）は、前記グリップと直接接触しているカバー板（９）によって密封されている請求項１に記載の写真カメラ用の回転可能なグリップ。
【請求項４】
前記ラッチ機構は、好適にはネジ結合により、前記カバー板（９）と剛直に接続されている請求項１または２に記載の写真カメラ用の回転可能なグリップ。
【請求項５】
前記阻止板（７）は、前記支持環と前記カメラとの間に配置されたスライド（１１）によって、阻止ピン（１０）を介して接続されている請求項１乃至４のいずれか一項に記載の写真カメラ用の回転可能なグリップ。
【請求項６】
前記阻止板（７）は楔領域（１２）を備えることと、前記楔領域は阻止位置への旋回中に前記ラッチ球（５）と前記カバー板（９）との間の空間を完全に埋めることとを含む請求項１乃至５のいずれか一項に記載の写真カメラ用の回転可能なグリップ。
【請求項７】
前記楔領域（１２）は５°〜１５°の楔角度を有する請求項６に記載の写真カメラ用の回転可能なグリップ。
【請求項８】
前記楔領域（１２）は１０°の楔角度を有する請求項７に記載の写真カメラ用の回転可能なグリップ。
【請求項９】
前記板バネ（４）は好適には３つの可動凸部を備えた一体式板バネであることを特徴とする請求項１乃至８のいずれか一項に記載の写真カメラ用の回転可能なグリップ。
【請求項１０】
前記板バネ（４）は、それぞれラッチ球を備えた４つまたは５つの相互に独立した凸部からなる請求項１乃至８のいずれか一項に記載の写真カメラ用の回転可能なグリップ。
【請求項１１】
前記板バネ（４）の凸部の各々はラッチ球がそれぞれ配置される孔を備える請求項１乃至１０のいずれか一項に記載の写真カメラ用の回転可能なグリップ。
【発明の詳細な説明】
【技術分野】
【０００１】
本発明は、写真カメラ、特にレフレックス・カメラのための回転可能なグリップに関する。本発明にかかるグリップは、ラッチ機構によってカメラの本体に接続される。
【背景技術】
【０００２】
多種多様な構成の回転可能なグリップを装備したカメラが知られている。特許文献１には、ピストル形のグリップを備えたレフレックス・カメラについて記載されている。このグリップは、保持ブラケット構造によって固定されている。この場合、旋回機能は相当限定されており、また、使用している間に保持要素が緩む原因となる。レフレックス・カメラにおける旋回保持グリップ構造は、特許文献２によって知られている。しかしながら、この構造における不都合な観点は、ラッチ手段の遊びが大きく、したがって取扱い性に不都合な効果があるということである。
【先行技術文献】
【特許文献】
【０００３】
【特許文献１】米国特許第４４０５２２３号明細書
【特許文献２】独国特許発明第１９５３４２３１号明細書
【発明の概要】
【発明が解決しようとする課題】
【０００４】
本発明の目的は、ハウジングと、そのハウジングの側壁に配置された回転可能なグリップとを備える写真カメラを提供することにある。この回転可能なグリップは、カメラの実用的価値を大幅に改善するべく、使い易く、人間工学的に有利な位置に回すことができ、遊びのないように提供される。
【課題を解決するための手段】
【０００５】
この目的は、カメラ（Ｋ）のハウジングとグリップ（１）との間に配置され、両者を互いに回転可能に接続するラッチ機構によって達成される。
本発明によれば、この遊びのないラッチ機構は、次の順に配置された、支持環（２）と、グリップ板（３）と、板バネ（４）と、それらの間に挿入されるように形成された鋼球（５）とからなる。本発明によれば、板バネ（４）および支持環（２）は、板バネ（４）によって球がグリップ板（３）の孔（８）に押し込まれるように、カメラの本体に接続されている。該接続は、好適にはネジ接続（６）を用いて達成される。
【０００６】
グリップ（１）を回すことによって、球は（５）、バネ力に抗してグリップ板（３）の孔から押し出される。グリップ（１）は、球（５）が所望の位置において選択されたラッチ位置の孔の中にラッチによって係合するまで旋回される。この選択されたラッチ位置を恒久的に確保するために、ラッチ球（５）の移動は、グリップ板（３）の回転軸回りに旋回可能な阻止板（７）によって阻止される。阻止板（７）は、グリップ板（３）にネジ止めされるカバー板（９）に軸方向に支持される。阻止板（７）は、阻止位置への旋回中に球とカバー板との間の空間を完全に埋める楔領域（１２）を備えている。楔角度を適切に選択することによって、ラッチ球が孔から再び押し出されることはない。特定の一実施形態では、楔角度は、５°〜１５°の間、好適には１０°である。楔領域（１２）は、阻止板の底面に配置される（この底面は、カメラに面している）。阻止板の位置はバネによって支持されており、グリップは、ラッチ位置および阻止位置に遊びのないように保持される。阻止板が阻止位置からバネに抗して旋回されるときにのみ、球の運動が解放され、グリップは再び任意の所望のラッチ位置まで旋回可能となる。スライド（１１）の並進運動
の補助によって、阻止板の移動（回転運動）が可能となる。スライド（１１）および阻止板（７）は、ピン（１０）を介して互いに接続されている。
【０００７】
板バネ（４）は、好適には、３つの可動凸部を備えた一体式板バネである。この板バネは、凸部が互いに独立して可動であるように構成されている。凸部の各々に孔が設けられ、ラッチ球がそれぞれに配置される。
【０００８】
別の実施形態では、板バネ（４）は、それぞれラッチ球を備えた４つまたは５つの相互に独立した凸部からなってもよい。
【図面の簡単な説明】
【０００９】
【図１】回転可能なグリップ（１）がハウジングに固定されている写真カメラ（Ｋ）の側面図。
【図２】阻止板およびカバー板を備えたラッチ機構の分解組立図。
【図３】カメラの本体上のラッチ機構を示す図。
【図４】カバー板のない状態におけるカメラの本体上のラッチ機構を示す図。
【図５】カバー板および阻止部のない状態におけるカメラの本体上のラッチ機構を示す図。
【図６】グリップを接続した（構成の）状態におけるカメラ方向へのラッチ機構の分解組立図。
【図７】スライドおよびピン（阻止ピン）を備えたラッチ機構をカメラ方向から示す図。
【発明を実施するための形態】
【００１０】
本発明にかかる装置の適用分野について、図１に示す実施形態により示す。適用は、そのような種類のカメラに限定されるものではない。さらに、本発明は、図示の形状における一定の大きさおよび寸法の関係に限定されるものではない。
【００１１】
図２には、分解組立図によりラッチ機構の構造を示す。一体にネジ止めされると、本発明において、この構造は遊びから全く解放され、ガタつきによる雑音がなくなる。矢印符号は、阻止する方向および阻止しない方向へのグリップの回転運動を示す。
【００１２】
図３〜図５には、側面図によりカメラ・ハウジング上のラッチ機構（グリップなし）を連続的に、すなわち、カバー板を備え完成した状態（図３）、カバー板のない状態におけるラッチ機構（図４）、カバー板および阻止板のない状態におけるラッチ機構（図５）として示す。
【００１３】
図６には、グリップを備えた構成を分解組立図により示す。スライド（１１）は支持環（２）の後方に固定され、ピン（１０）によって阻止板を阻止するか、または阻止しない。
【００１４】
図７には、スライドの運動（並進）を再び示す。スライドは、そのブラケットに阻止板のピン（１０）により係合し、上述のように運動させる。
【図１】
2010504541.tif 000003
【図２】
2010504541.tif 000004
【図３】
2010504541.tif 000005
【図４】
2010504541.tif 000006
【図５】
2010504541.tif 000007
【図６】
2010504541.tif 000008
【図７】
2010504541.tif 000009
【国際調査報告】
2010504541.tif 000010
2010504541.tif 000011
2010504541.tif 000012
2010504541.tif 000013